(57)【要約】【課題】着色された合成樹脂発泡板を基板とするパネルであっても、鮮やかな色彩を呈するポスターなどの貼着、或いは貼られた紙面上へのポスターカラーなどによる彩色が、何ら問題なく行うことのできる着色合成樹脂発泡板を基板とするパネルを、安価且つ容易に提供すること。【解決手段】着色合成樹脂発泡板２を基板とし、該基板の少なくとも片側板面の全面に、白色に着色された接着剤層３が形成され、該白色に着色された接着剤層３により、前記基板である着色合成樹脂発泡板２の着色が隠蔽されているパネル１とした。【選択図】　　　図１
2004066707.tif 000002
【特許請求の範囲】
【請求項１】
着色合成樹脂発泡板を基板とし、該基板の少なくとも片側板面の全面に、白色に着色された接着剤層が形成され、該白色に着色された接着剤層により、前記基板である着色合成樹脂発泡板の着色が隠蔽されていることを特徴とする、着色合成樹脂発泡板を基板とするパネル。
【請求項２】
上記着色合成樹脂発泡板が、リサイクル樹脂を含有し、灰色又は黒色を呈していることを特徴とする、請求項１記載の着色合成樹脂発泡板を基板とするパネル。
【請求項３】
上記白色に着色された接着剤層が、白色無機顔料と接着剤との混合物層であり、前記白色無機顔料のモース硬度が、５以下であることを特徴とする、請求項１又は２記載の着色合成樹脂発泡板を基板とするパネル。
【発明の詳細な説明】
【０００１】
【発明の属する技術分野】
本発明は、着色合成樹脂発泡板を基板とするパネルに関するもので、特には、リサイクル樹脂を含有し、灰色又は黒色を呈している着色合成樹脂発泡板を基板とするパネルに関するものである。
【０００２】
【従来の技術】
近年、ゴミ減量化と資源の有効利用のために、発泡スチロール等の合成樹脂発泡体から成るトレーや容器などのリサイクルが進められている。
このような合成樹脂発泡体から成るトレーや容器などのリサイクルにあたっては、着色された色物のトレーや容器なども多く存在し、これらの色物のトレーや容器などを白色のトレーや容器などと仕分けすることは、労力、コストなどの観点から困難であり、殆ど実施されていないのが実情である。
そのため、色物のトレーや容器なども含むリサイクル樹脂は、着色されたものとなり、該着色されたリサイクル樹脂を原料として利用する発泡製品も、当然に着色された製品となる。
【０００３】
一方、合成樹脂発泡板を基板とし、該基板の少なくとも片側板面に接着剤層を設けたパネルが、ディスプレイパネルなどの展示又は装飾パネルとして広く使用されている。
これらのパネルは、バージン原料の色、即ち白色を呈しており、該パネルに鮮やかな色彩を呈するポスターなどが上記接着剤層を利用して貼られたり、或いは紙が上記接着剤層を利用して貼られ、該紙面上にポスターカラーなどを用いて彩色を施し、板紙のように自由に切り抜くことにより種々の色彩・形状のディスプレイとして利用されている。
【０００４】
ここで、上記リサイクル樹脂を原料として、上記パネルを製造した場合、得られるパネルは上記理由により着色された合成樹脂発泡板を基板とするパネルとなる。
このような着色合成樹脂発泡板を基板とするパネルに、そのままポスターなどを貼り付けると、基板の色がポスターを透かして現れてしまい、ポスターの色合いが違うものとなってしまうことが生じる。また、紙を貼った場合においても、該紙を透かして基板の色が紙面上に現れ、ポスターカラーなどによる彩色がイメージと異なるものとなってしまうことが生じる。
このようなことは、ディスプレイパネルなどの展示又は装飾パネルとしては、致命的な欠点となる。
【０００５】
そこで、本発明は、着色された合成樹脂発泡板を基板とするパネルであっても、鮮やかな色彩を呈するポスターなどの貼着、或いは貼られた紙面上へのポスターカラーなどによる彩色が、何ら問題なく行うことのできる着色合成樹脂発泡板を基板とするパネルを、安価且つ容易に提供することを目的とする。
【０００６】
【課題を解決するための手段】
本発明者らは、上記した目的を達成すべく鋭意研究を進めた結果、ポスターなどの貼着の為に形成していた接着剤層に着目し、該接着剤層により基板の着色を隠蔽することを創案し、本発明を完成された。
即ち、本発明は、着色合成樹脂発泡板を基板とし、該基板の少なくとも片側板面の全面に、白色に着色された接着剤層が形成され、該白色に着色された接着剤層により、前記基板である着色合成樹脂発泡板の着色が隠蔽されているパネルとした。
【０００７】
上記した本発明に係る着色合成樹脂発泡板を基板としたパネルによれば、該基板の着色が、白色に着色された接着剤層により隠蔽されているため、該パネルの板面は白色を呈し、鮮やかな色彩のポスターなどの貼着、或いは貼られた紙面上へのポスターカラーなどによる彩色が、何ら問題なく行うことができ、ディスプレイパネルなどの展示又は装飾パネルとして良好に使用できるパネルとなる。
また、上記した本発明に係る着色合成樹脂発泡板を基板としたパネルによれば、該基板の着色の隠蔽が、従来より基板の板面に形成されている接着剤層により成されているため、別途、新たな隠蔽層を設けるのとは異なり、何ら製造工程が増えることはなく、安価且つ容易に提供できるパネルとなる。
【０００８】
ここで、上記本発明において、上記着色合成樹脂発泡板が、リサイクル樹脂を含有し、灰色又は黒色を呈しているものとすることができる。
一般にリサイクル樹脂は、色が一定していないため、該リサイクル樹脂を原料として得られる製品も、一定の色を出すことができない。ここで、製品として色が異なることは好ましいことではないため、カーボンブラック、四三酸化鉄などの顔料や染料をリサイクル樹脂に添加し、得られる合成樹脂発泡板を灰色又は黒色に着色し、色が均一な製品とすることは好ましい。
【０００９】
また、上記本発明において、上記白色に着色された接着剤層が、白色無機顔料と接着剤との混合物層であり、前記白色無機顔料のモース硬度が、５以下であるものを使用することができる。
接着剤層を白色に着色するために混合する白色無機顔料の硬度が高すぎると、ハサミ、カッターなどによる切断、或いは切削加工性が低下し、ディスプレイパネルなどの展示又は装飾パネルとして好ましくない。そこで、モース硬度が５以下の白色無機顔料を接着剤層に使用することにより、ハサミ、カッターなどによる切断、或いは切削加工性が良好なパネルとすることは好ましい。
【００１０】
【発明の実施の形態】
以下、上記した本発明に係る着色合成樹脂発泡板を基板とするパネルの実施の形態を、図面などを示して詳細に説明する。
【００１１】
先ず、図１は、本発明に係る着色合成樹脂発泡板を基板とするパネルの一例を示した外観斜視図であり、一部を拡大して円部に示している。
【００１２】
このパネル１では、基板として着色合成樹脂発泡板２を使用し、該着色合成樹脂発泡板２の片側板面の全面に、白色に着色された接着剤層３が形成され、該接着剤層３を利用し、剥離シート４が貼着されている。
【００１３】
上記着色合成樹脂発泡板２は、リサイクル樹脂を含有し、灰色又は黒色を呈している。
リサイクル樹脂は、回収した使用済みの合成樹脂製トレーや容器などを粉砕・溶融して得られたもの、またこれらのトレーや容器などの製品を製造する際に発生したスクラップ樹脂を粉砕・溶融して得られたものなどが挙げられ、これらのリサイクル樹脂の原料としての使用割合は、リサイクル率の観点から２０〜１００重量％、好ましくは３０〜１００重量％、更に好ましくは５０〜１００重量％である。
また、上記リサイクル樹脂は、色が一定ではないため、カーボンブラック、四三酸化鉄などの顔料や染料をリサイクル樹脂を含む原料に適当量添加し、得られる合成樹脂発泡板を灰色又は黒色に着色している。
【００１４】
また、上記着色合成樹脂発泡板２は、上記リサイクル樹脂を含む原料を使用し、押出発泡成形法又は発泡ビーズの型内成形法などの公知の手法により製造され、特に限定はされないが、見かけ密度が０．０４〜０．７０ｇ／ｃｍ３、厚みが１〜１０ｍｍのポリスチレン系樹脂押出発泡板とされていることが、軽量性を備え、且つある程度の強度を有するパネルとなるために好ましい。
【００１５】
上記着色合成樹脂発泡板２の片側板面の全面に形成された、上記白色に着色された接着剤層３は、白色無機顔料と接着剤との混合物を塗布することにより形成されており、該白色無機顔料を混合することにより白色を呈する接着剤層３により、前記基板である着色合成樹脂発泡板２の灰色又は黒色の着色が隠蔽されている。
【００１６】
上記接着剤層３を構成する接着剤としては、粘着性を示すものも当然のことながら含まれ、例えば、アクリル樹脂系、アクリル酸エステル樹脂系、酢酸ビニル樹脂系、ＳＢＲ系等のゴム系、などの接着剤が使用でき、これらの接着剤は、いわゆる再剥離性及び再接着性を示すものであることが好ましい。
【００１７】
また、上記接着剤に混合される白色無機顔料としては、二酸化チタン、酸化亜鉛、炭酸カルシウム、硫酸バリウム等が挙げられ、これらの白色無機顔料の上記接着剤への添加量は、形成される接着剤層３の白色への着色性、及び形成される接着剤層３の接着性との兼ね合いから、２〜２０重量％、好ましくは５〜１５重量％である。
【００１８】
更に、上記白色無機顔料が混合されている接着剤層３のハサミ、カッターなどによる切断、或いは切削加工性を考慮した場合、混合した白色無機顔料の硬度が高い場合にはどうしても切断、或いは切削加工性が低下するため、モース硬度が５以下の白色無機顔料、具体的には酸化亜鉛等のナイフで容易に傷がつく白色無機顔料を接着剤層３に使用することにより、ハサミ、カッターなどによる切断、或いは切削加工性が良好なパネルとすることは好ましい。
【００１９】
上記白色無機顔料と接着剤との混合物からなる接着剤層３の形成厚みは、該接着剤層３により、上記基板である着色合成樹脂発泡板２の灰色又は黒色の着色が隠蔽でき、且つ該接着剤層３を利用してポスターなどの貼着を良好に行い得る観点から、５０〜２，０００μｍ、好ましくは２００〜７００μｍの形成厚みとする。
【００２０】
上記接着剤層３を利用して着色合成樹脂発泡板２に貼着された上記剥離シート４としては、紙にシリコーン等の離型剤を塗布した一般の離型紙の他、離型剤を塗布した合成樹脂フィルム、ロウ加工を施した紙や合成樹脂フィルムなどが用いられる。
【００２１】
上記した本発明に係る着色合成樹脂発泡板を基板とするパネル１を使用する際は、通常の接着剤層が形成されたパネルと同様に、先ず、剥離シート４を剥がして接着剤層３を露出させ、続いてポスターや写真等の表示物を該接着剤層３を利用して着色合成樹脂発泡板２の板面に貼り付け、必要に応じてハサミ、カッターなどによりパネル１を所望とする形状・寸法に切断し、それを所望の場所に展示または表示すれば良い。
【００２２】
この際、本発明に係る着色合成樹脂発泡板を基板とするパネル１は、該基板の着色が、白色に着色された接着剤層３により隠蔽されているため、該パネル１の板面は白色を呈し、鮮やかな色彩のポスターなどを貼着した場合においても、該ポスターの色彩の色目が変化することは無く、ディスプレイパネルなどの展示又は装飾パネルとして良好に使用できる。
【００２３】
なお、上記した本発明に係るパネル１では、基板である着色合成樹脂発泡板２の片側板面のみに、白色に着色された接着剤層３を形成したものに付き説明したが、着色合成樹脂発泡板２の両側板面の全面に、各々白色に着色された接着剤層３，３を形成し、パネル１の両面に、各々ポスターなどを前記接着剤層３，３を利用して貼着できるパネルとしても良い。
【００２４】
次に、図２は本発明に係る着色合成樹脂発泡板を基板とするパネルの他例を示した外観斜視図であり、一部を拡大して円部に示している。
【００２５】
このパネル１１では、基板として上記と同様の着色合成樹脂発泡板１２を使用し、該着色合成樹脂発泡板１２の両側板面の全面に、各々白色に着色された接着剤層１３，１３が形成され、該接着剤層１３，１３を利用し、着色合成樹脂発泡板１２の両側板面に各々紙シート１４，１４が貼着されている。
【００２６】
上記パネル１１において、上記着色合成樹脂発泡板１２の両側板面の全面に各々形成された白色に着色された接着剤層１３，１３により、着色合成樹脂発泡板１２の着色が隠蔽されるいることは、前記したパネル１の場合と同様であり、そのために、上記接着剤層１３，１３が、二酸化チタン、酸化亜鉛などの白色無機顔料と接着剤との混合物を塗布することにより形成されていることも、前記したパネル１の場合と同様である。
【００２７】
但し、上記パネル１１においては、着色合成樹脂発泡板１２の両側板面に各々接着剤層１３，１３を利用して貼着された上記紙シート１４，１４は、前記したパネル１の剥離シート４の如く剥がされることは無く、合成樹脂発泡板と紙シートとのコンビネーションパネルとして、両者の長所が生かされたパネルとして使用される。
【００２８】
そのため、上記着色合成樹脂発泡板１２の板面に貼着される紙シート１４としては、ケント紙、上質紙、クラフト紙などが用いられ、これらの紙シート１４は、特に限定はされないが、坪量（１　ｍ２当たりの重量）が５〜５００ｇ／ｍ２、好ましくは２０〜３００ｇ／ｍ２であることが、強度及び経済性の兼ね合いから好ましい。
【００２９】
上記した本発明に係る着色合成樹脂発泡板を基板とするパネル１１を使用する際は、通常の合成樹脂発泡板と紙シートとのコンビネーションパネルと同様に、直接ポスターカラーなどを用いて彩色を施し、必要に応じてハサミ、カッターなどにより自由に切り抜き、また貼り合わせ、所望とするディスプレイを制作し、それを所望の場所に展示または表示すれば良い。
【００３０】
この際、本発明に係る着色合成樹脂発泡板を基板とするパネル１１は、該基板の着色が、白色に着色された接着剤層１３により隠蔽されているため、該接着剤層１３を介して貼着された紙シート１４の面上には基板の着色が現れず、ポスターカラーなどによる彩色が何ら問題なく行うことができ、ディスプレイパネルなどの展示又は装飾パネルとして良好に使用できるパネルとなる。
【００３１】
なお、上記した本発明に係るパネル１１では、基板である着色合成樹脂発泡板１２の両側板面に、白色に着色された接着剤層１３，１３を各々形成し、該接着剤層１３，１３を利用し、着色合成樹脂発泡板１２の両側板面に各々紙シート１４，１４が貼着されたものに付き説明したが、着色合成樹脂発泡板１２の片側板面の全面のみに、白色に着色された接着剤層１３を形成し、該接着剤層１３を利用し、着色合成樹脂発泡板１２の片側板面のみに、紙シート１４が貼着されたパネルとしても良い。
【００３２】
【発明の効果】
以上、説明した本発明に係る着色合成樹脂発泡板を基板としたパネルによれば、該基板の着色が、白色に着色された接着剤層により隠蔽されているため、該パネルの板面は白色を呈し、鮮やかな色彩のポスターなどの貼着、或いは貼られた紙面上へのポスターカラーなどによる彩色が、何ら問題なく行うことができ、ディスプレイパネルなどの展示又は装飾パネルとして、例えばリサイクル樹脂を原料として製造された着色合成樹脂発泡板を、良好に基板として使用できるパネルとなる効果がある。
【００３３】
また、本発明に係る着色合成樹脂発泡板を基板としたパネルによれば、該基板の着色の隠蔽が、基板の板面に形成されている接着剤層により成されているため、別途、新たな隠蔽層を設けるのとは異なり、何ら製造工程が増えることはなく、安価且つ容易に提供できるパネルとなる効果がある。
【図面の簡単な説明】
【図１】本発明に係る着色合成樹脂発泡板を基板としたパネルの一例を示した外観斜視図であり、一部を拡大して円部に示している。
【図２】本発明に係る着色合成樹脂発泡板を基板としたパネルの他例を示した外観斜視図であり、一部を拡大して円部に示している。
【符号の説明】
１　　　パネル
２　　　着色合成樹脂発泡板
３　　　接着剤層
４　　　剥離シート
１１　　パネル
１２　　着色合成樹脂発泡板
１３　　接着剤層
１４　　紙シート
【図１】
2004066707.tif 000003
【図２】
2004066707.tif 000004